(57)【要約】【課題】  地震力の作用によっても倒壊の恐れがなく、又、組み立て施工の容易な石積構造物の耐震装置を提供する。【解決手段】  最下端の芝台３と、最上端の竿石６を含む複数個の石材５を積重して全体を連結棒７で一体化した墓石２を、固定部材１０を用いて基礎１１に固定する。竿石６の下面部中央に雌ネジ部１９を埋設し、他の石材の中央には、上下方向に貫通する連結孔１７を設ける。上下連通した連結孔に挿通させた連結棒７の上端の雄ネジ部６６を、雌ネジ部１９に螺合させる。芝台３の連結孔１７の下端で突出した連結棒下端の雄ネジ部６７にナット６９を螺合し締め付けることにより、複数個の石材を連結一体化する。石材の積重に際しては、下の石材に突設した位置決め軸３５の突出部分を、上の石材の位置決め孔２９に着脱可能に挿入する。【選択図】      図１
2005076191.tif 000002
【特許請求の範囲】
【請求項１】
複数個の石材を積重して全体を連結棒で連結一体化してなる石積構造物を、固定部材を用いて基礎に固定する石積構造物の耐震装置であって、最上端の石材の下面部中央に前記連結棒の上端が固定されると共に、その他の石材の中央には、上下方向に貫通する連結孔が設けられており、上下連通した連結孔に挿通せしめられた前記連結棒の下端が、最下端の石材の連結孔の下端で下方に突出せしめられ、該突出した下端に設けられている雄ネジ部にナットが螺合され締め付けられることにより、前記複数個の石材が連結一体化されることを特徴とする石積構造物の耐震装置。
【請求項２】
複数個の石材を積重して全体を連結棒で連結一体化してなる石積構造物を、固定部材を用いて基礎に固定する石積構造物の耐震装置であって、最上端の石材の下面部中央に雌ネジ部が埋設されると共に、その他の石材の中央には、上下方向に貫通する連結孔が設けられており、上下連通した連結孔に挿通せしめられた前記連結棒の上端に形成されている雄ネジ部が前記雌ネジ部に螺合され、最下端の石材の連結孔の下端で下方に突出した前記連結棒の下端に設けられている雄ネジ部にナットが螺合され締め付けられることにより、前記複数個の石材が連結一体化されることを特徴とする石積構造物の耐震装置。
【請求項３】
最下端の芝台としての石材と、最上端の竿石としての石材を含む複数個の石材を積重して全体を連結棒で連結一体化してなる墓石としての石積構造物を、固定部材を用いて基礎に固定する石積構造物の耐震装置であって、前記竿石の下面部中央に雌ネジ部が埋設されると共に、その他の石材の中央には、上下方向に貫通する連結孔が設けられており、上下連通した連結孔に挿通せしめられた前記連結棒の上端に形成されている雄ネジ部が前記雌ネジ部に螺合され、前記芝台の連結孔の下端で下方に突出した前記連結棒の下端に設けられている雄ネジ部にナットが螺合され締め付けられることにより、前記複数個の石材が連結一体化されることを特徴とする石積構造物の耐震装置。
【請求項４】
前記石材の互いに当接する上下の面の夫々に、前記石材の中央を挟んだ対向側に、２個の位置決め孔が設けられ、同一側に存する上下の位置決め孔は連通する如くなされており、下の石材上に上の石材を載置する際には、下の石材の前記位置決め孔に位置決め軸の下側部分が挿入された状態となされ、該位置決め軸の上方への突出部分が、前記上の石材の前記位置決め孔に着脱可能に挿入されることを特徴とする請求項１、２又は３記載の石積構造物の耐震装置。
【請求項５】
前記石材の互いに当接する上下の面の夫々に、前記石材の中央を挟んだ対向側に、２個の位置決め孔が設けられ、同一側に存する上下の位置決め孔は連通する如くなされており、下の石材上に上の石材を載置する際には、上の石材の前記位置決め孔に位置決め軸の上側部分が挿入された状態となされ、該位置決め軸の下方への突出部分が、前記下の石材の前記位置決め孔に着脱可能に挿入されることを特徴とする請求項１、２又は３記載の石積構造物の耐震装置。
【請求項６】
前記固定部材は、水平片に垂直片が下設されており、該固定部材の内側部分の水平片が、最下端の石材の下の面に当接した状態で該下の面にボルト固定されると共に、該固定部材の外側部分が前記最下端の石材の側面から外方に突出せしめられ、該突出した外側部分の前記水平片が前記基礎にボルト固定されることを特徴とする請求項１、２又は３記載の石積構造物の耐震装置。
【請求項７】
前記固定部材は、水平片に垂直片が下設されており、該固定部材の内側部分の水平片が、最下端の石材の下の面の対向部分の両側４箇所においてボルト固定されると共に、該固定部材の外側部分が前記最下端の石材の側面から外方に突出せしめられ、該突出した外側部分の前記水平片が前記基礎にボルト固定されることを特徴とする請求項１、２又は３記載の石積構造物の耐震装置。
【請求項８】
前記固定部材は、水平片に垂直片が下設されており、該固定部材の内側部分の水平片が、最下端の石材の下の面に当接した状態で該下の面にボルト固定される共に、該固定部材の突出した外側部分が前記基礎に設けられた嵌入溝に嵌め入れられ、且つ前記垂直片の下端が該嵌入溝の底面に当接した状態で、前記水平片が前記基礎にボルト固定される如くなし、前記嵌入溝にモルタルが充填されることを特徴とする請求項１、２又は３記載の石積構造物の耐震装置。
【請求項９】
前記石積構造物が墓石である場合、該墓石を正面から見た状態において、前記固定部材が前記芝台の左右側面の前後で外方に突出せしめられ、該突出した外側部分が前記基礎にボルト固定されることを特徴とする請求項２記載の石積構造物の耐震装置。
【請求項１０】
複数個の石材を積重して全体を連結棒で連結一体化する、石積構造物における石材連結工法であって、最上端の石材の下面部中央に雌ネジ部が埋設されると共に、その他の石材の中央には、上下方向に貫通する連結孔が設けられており、最下端の石材を支持台上に載置すると共に、該石材上に、上下の連結孔相互を連通させて前記その他の石材を順次積重して後、上下連通した連結孔に、連結棒を上から下に向けて挿入させると共に、該連結棒の上端のネジ軸部に支持ナットを螺合させ、連通した連結孔の上端周縁で該支持ナットを支持させることにより連結棒の落下を防止し、その後、連通した連結孔の直上に前記雌ネジ部が存するように最上端の石材を吊下すると共に、前記支持ナットを取り外して前記連結棒の上端側を持ち上げて、前記上端のネジ軸部を前記雌ネジ部に螺合させ、その後、最上端の石材を吊り下ろして最上端の連結孔を具える石材上に載置し、然る後に、最下端の石材の連結孔の下端で下方に突出した前記連結棒の下端のネジ軸部にナットを螺合し締め付けることより、石材の全体を前記連結棒により連結一体化することを特徴とする、石積構造物における石材連結工法。
【発明の詳細な説明】
【技術分野】
【０００１】
本発明は、石材を積み上げて構成された墓石や灯籠、石碑等の石積構造物が、地震力で倒壊するのを防止し得る石積構造物の耐震装置に関するものである。
【背景技術】
【０００２】
石材を順次積重して構成された墓石や灯籠等の石積構造物は、石材相互を面接触状態に積み重ねただけでは、地震力が特に大きい場合に倒壊しやすい問題があった。そのため、かかる墓石類の倒壊を防止するための手段として、特開平１０−３７５３２号公報や特開平９−１３７６３８号公報が開示する耐震装置が提案されている。
【０００３】
前者の耐震装置は、図４１に示すように、基礎ａ上に下台ｂを載置する共に該下台ｂ上に中台ｃを載置し、又、該中台ｃ上に上台ｄを載置すると共に該上台ｄ上に竿石ｅを載置して構成されており、前記基礎ａの４隅に立設された支持通しボルトｆが、前記下台ｂと中台ｃの４隅に上下貫設された挿通孔ｇ，ｇに挿通せしめられ、該中台ｃの上面ｈに凹設された凹部ｉで突設されたボルト上端のネジ軸部にナットｋが螺合され締め付けられると共に、該凹部ｉを覆い隠すように前記上台ｄが載置される如くなされていた。又、前記上台ｄと前記竿石ｅに上下貫設された、連通する貫通孔ｍ，ｍに、連結棒ｎが挿通せしめられると共に、該連結棒ｎの上下端の雄ネジ部ｐ，ｑが、前記下の貫通孔ｍの下端と前記上の貫通孔ｍの上端で突出される如くなされていた。そして、該突出した雄ネジ軸ｐ，ｑにナットｔ、ｕを螺合し締め付けることにより、前記中台ｃの天井部ｖと前記上台ｄと前記竿石ｅの全体を一体化する如くなし、これによって墓石ｗの全体を一体化し、墓石の耐震性を向上させんとするものであった。
【０００４】
ところで、かかる耐震装置によるときは、前記連結棒ｎを通す貫通孔ｍが最上段の石材（竿石ｅ）の上端ｘで開口するので、該連結棒ｎの上端の雄ネジ部ｐに締め付けられた前記ナットｔが露出して墓石の美観を損なう問題があった。そこで、これを防ぐために、図４２に拡大して示すように、該ナットｔを納める凹部ｙを竿石ｅの上端面に凹設する共に、該ナットｔを覆うようにキャップｚを被せ、且つ、水密性を高めるために内部にモルタルａ１を充填することが行われていた。
【０００５】
しかしながら、このようにキャップｚを被せ、且つ、水密性を高めるためにモルタルａ１を充填したとしても、長期間の内に雨水がモルタルの硬化部分ｂ２に染み込んで貫通孔ｍ内に進入する事態が生じ、前記連結棒ｎの腐食を招いて墓石の耐震性を劣化させる問題が発生した。又、前記中台ｃと前記上台ｄとの接触部分ｃ１からも雨水が進入して、前記天井部ｖに設けられた前記貫通孔ｇに雨水が進入することにより、前記支持通しボルトｆの腐食を招いて墓石の耐震性を劣化させる問題が発生した。
【０００６】
又、竿石ｅの前記凹部ｙに水分が溜まり易いことから、前記キャップｚの周りに苔が生えたり、汚れた水が竿石ｅの上面ｄ１から側面ｅ１に流れる等して、該竿石を汚損し、墓石の美観を損なう問題があったため、定期的に清掃しなければならないが、その汚れが落ちにくい問題があった。
【０００７】
更に、この様に竿石ｅに貫通孔ｍを設けたり、キャップｚを被せることは、当該墓石が耐震設計であることを殊更に印象付けることとなり、墓石の外観を不自然なものとする問題もあった。
【０００８】
又、地震力で傾いた墓石の基礎部分を改修せんとする場合や耐震連結装置の修理に際して、前記連結棒ｎの上端のナットｔを取り外して前記竿石ｅ、上台ｄを取り外すと共に、前記支持通しボルトｆの上端のナットｋを取り外して前記中台ｃと下台ｂを取り外す必要があり、個々の石材を順番に取り外す施工に、多くの手間と時間を要して施工性が悪い問題があった。
【０００９】
加えて、墓石を組み立てる際は、石材相互を単に面接触状態で積み上げるだけであったため、定規を用いて設置場所を微調整しなければならない等、専門家にとってもその位置決め施工が難しく、墓石の構築施工に多大の手間と時間を要する問題もあった。
【００１０】
一方、後者の耐震装置は、図４３に示すように、最上端の石材（竿石）ｆ１の底部ｇ１に埋設される雌ネジ部ｈ１と、この雌ネジ部ｈ１に螺合可能なネジ軸部ｊ１を上端に有する連結棒ｋ１と、この連結棒ｋ１の前記ネジ軸部ｊ１を除いた部分の外周に嵌め込まれる弾性パイプｍ１とを具えており、前記雌ネジ部ｈ１に、前記弾性パイプｍ１で外周が被覆された前記連結棒ｋ１の前記ネジ軸部ｊ１を螺合して連結すると共に、該弾性パイプｍ１で被覆された連結棒ｋ１を、下側に位置する石材に設けられた貫通孔ｎ１に挿入して後、最下端の石材ｐ１に形成された有底孔ｑ１内に挿入し、然る後に、前記貫通孔ｎ１及び有底孔ｑ１に流し込んだモルタルｒ１によって前記弾性パイプｍ１を該石材ｐ１に固定するように構成されていた。そして、前記連結棒ｋ１の下端部分ｓ１には、斜めに切った形状の平坦面ｔ１を形成しておき、この下端部分ｓ１を、前記弾性パイプｍ１から突出した状態で、前記有底孔ｑ１に充填したモルタルｒ１に埋め込まれた状態とすることにより、該平坦面ｔ１を有する前記下端部分ｓ１が回り止め作用を呈して、最上端の石材ｆ１が地震時の振動で回転するのが防止されるように構成されていた。そして、このように組み立てられた墓石を分解する際には、最上端の石材（竿石）ｆ１を上方に引き上げることにより、前記連結棒ｋ１の下端部分ｓ１が前記有底孔ｑ１のコンクリート部ｖ１から抜け、前記弾性パイプｍ１を残して該連結棒ｋ１が引き上げられるように構成されていた。
【００１１】
この耐震装置によるときは、前者の耐震装置におけるように、連結棒の上端を最上端の石材の上端面で突出させる構成ではないため、墓石の美観を損なう等の前記問題点を解消できる利点がある。しかしながら、かかる耐震装置によるときは、地震時の振動によって最上端の石（竿石）ｆ１が上下動して、最上端の石材ｆ１とその下側に存する石材ｗ１とが激しく衝突する現象が生じ、墓石を損傷する恐れがあった。又、最上端の石材ｆ１が浮き上がることによって、前記連結棒ｋ１の下端部分ｓ１が前記有底孔ｑ１のコンクリート部ｖ１から抜けてしまうために、前記連結棒ｋ１の下端部分ｓ１の前記平坦面ｔ１による回り止め作用が全く働かず、最上端の石（竿石）ｆ１が回転する恐れも多分にあった。
【００１２】
更に前記従来の石積構造物は、施工現場において組み立てる構成であったため、現場施工の工期が長引く問題があり、しかも、狭いスペースで石材を順次積重しなければならない窮屈な作業を強いられる場合もあった。
【特許文献１】特開平１０−３７５３２号公報（第２−３頁、図１）
【特許文献２】特開平９−１３７６３８号公報（第２−３頁、図１）
【発明の開示】
【発明が解決しようとする課題】
【００１３】
本発明は、前記従来の問題点に鑑みて開発されたものであり、地震力の作用によっても倒壊の恐れのない石積構造物の耐震装置の提供を課題とするものである。
【００１４】
更に進んで、組立施工を容易且つ能率的に行うことができると共に、地震時の振動で石材が回転するのを防止し得る石積構造物の耐震装置の提供を課題とするものである。又、基礎からの取り外しも容易であって、基礎の改修や一部石材の交換、耐震装置の補修が容易である石積構造物の耐震装置の提供を課題とするものである。
【００１５】
更に本発明は、石積構造物を構成する石材の連結作業を安定的に然も施工性よく行い得る石積構造物における石材連結工法の提供を課題とするものである。
【課題を解決するための手段】
【００１６】
前記課題を解決するため、本発明は以下の手段を採用する。
即ち本発明に係る石積構造物の耐震装置（以下耐震装置という）は、複数個の石材を積重して全体を連結棒で連結一体化してなる石積構造物を、固定部材を用いて基礎に固定する石積構造物の耐震装置であって、最上端の石材の下面部中央に前記連結棒の上端が固定されると共に、その他の石材の中央には、上下方向に貫通する連結孔が設けられており、上下連通した連結孔に挿通せしめられた前記連結棒の下端が、最下端の石材の連結孔の下端で下方に突出せしめられ、該突出した下端に設けられている雄ネジ部にナットが螺合され締め付けられることにより、前記複数個の石材が連結一体化されることを特徴とするものである。
【００１７】
本発明に係る耐震装置のより具体的な態様は、複数個の石材を積重して全体を連結棒で連結一体化してなる石積構造物を、固定部材を用いて基礎に固定する石積構造物の耐震装置であって、最上端の石材の下面部中央に雌ネジ部が埋設されると共に、その他の石材の中央には、上下方向に貫通する連結孔が設けられており、上下連通した連結孔に挿通せしめられた前記連結棒の上端に形成されている雄ネジ部が前記雌ネジ部に螺合され、最下端の石材の連結孔の下端で下方に突出した前記連結棒の下端に設けられている雄ネジ部にナットが螺合され締め付けられることにより、前記複数個の石材が連結一体化されることを特徴とするものである。
【００１８】
墓石に応用された本発明に係る耐震装置は、最下端の芝台としての石材と、最上端の竿石としての石材を含む複数個の石材を積重して全体を連結棒で連結一体化してなる墓石としての石積構造物を、固定部材を用いて基礎に固定する石積構造物の耐震装置であって、前記竿石の下面部中央に雌ネジ部が埋設されると共に、その他の石材の中央には、上下方向に貫通する連結孔が設けられており、上下連通した連結孔に挿通せしめられた前記連結棒の上端に形成されている雄ネジ部が前記雌ネジ部に螺合され、前記芝台の連結孔の下端で下方に突出した前記連結棒の下端に設けられている雄ネジ部にナットが螺合され締め付けられることにより、前記複数個の石材が連結一体化されることを特徴とするものである。
【００１９】
前記各耐震装置において、前記石材の互いに当接する上下の面の夫々に、前記石材の中央を挟んだ対向側に、２個の位置決め孔を設け、同一側に存する上下の位置決め孔は連通する如くなし、下の石材上に上の石材を載置する際には、下の石材の前記位置決め孔に位置決め軸の下側部分を挿入するものとし、該位置決め軸の上方への突出部分が、前記上の石材の前記位置決め孔に着脱可能に挿入されるように構成するのがよい。
【００２０】
又前記各耐震装置において、前記石材の互いに当接する上下の面の夫々に、前記石材の中央を挟んだ対向側に、２個の位置決め孔を設け、同一側に存する上下の位置決め孔は連通する如くなし、下の石材上に上の石材を載置する際には、上の石材の前記位置決め孔に位置決め軸の上側部分を挿入するものとし、該位置決め軸の下方への突出部分が、前記下の石材の前記位置決め孔に着脱可能に挿入されるように構成するのがよい。
【００２１】
又前記各耐震装置において、前記固定部材は、水平片に垂直片が下設されたものとし、固定部材の内側部分の水平片が、最下端の石材の下の面に当接した状態で該下の面にボルト固定されると共に、該固定部材の外側部分が前記最下端の石材の側面から外方に突出される如くなし、該突出した外側部分の前記水平片が前記基礎にボルト固定されるように構成するのがよい。
【００２２】
又前記各耐震装置において、前記固定部材は、水平片に垂直片が下設されたものとし、固定部材の内側部分の水平片が、最下端の石材の下の面の対向部分の両側４箇所においてボルト固定されると共に、該固定部材の外側部分が前記最下端の石材の側面から外方に突出される如くなし、該突出した外側部分の前記水平片が前記基礎にボルト固定されるように構成するのがよい。
【００２３】
又前記各耐震装置において、前記固定部材は、水平片に垂直片が下設されたものとし、固定部材の内側部分の水平片が、最下端の石材の下の面に当接した状態で該下の面にボルト固定される共に、該固定部材の突出した外側部分が前記基礎に設けられた嵌入溝に嵌め入れられ、且つ前記垂直片の下端が該嵌入溝の底面に当接した状態で、前記水平片が前記基礎にボルト固定される如くなし、又、前記嵌入溝にモルタルが充填されるように構成するのがよい。
【００２４】
墓石に応用された本発明に係る耐震装置は、該墓石を正面から見た状態において、前記固定部材が、前記芝台の左右側面の前後で外方に突出する如くなし、該突出した外側部分を前記基礎にボルト固定するように構成するのがよい。
【００２５】
本発明に係る石積構造物における石材連結工法は、複数個の石材を積重して全体を連結棒で連結一体化する、石積構造物における石材連結工法であって、最上端の石材の下面部中央に雌ネジ部が埋設されると共に、その他の石材の中央には、上下方向に貫通する連結孔が設けられており、最下端の石材を支持台上に載置すると共に、該石材上に、上下の連結孔相互を連通させて前記その他の石材を順次積重して後、上下連通した連結孔に、連結棒を上から下に向けて挿入させると共に、該連結棒の上端のネジ軸部に支持ナットを螺合させ、連通した連結孔の上端周縁で該支持ナットを支持させることにより連結棒の落下を防止し、その後、連通した連結孔の直上に前記雌ネジ部が存するように最上端の石材を吊下すると共に、前記支持ナットを取り外して前記連結棒の上端側を持ち上げて、前記上端のネジ軸部を前記雌ネジ部に螺合させ、その後、最上端の石材を吊り下ろして最上端の連結孔を具える石材上に載置し、然る後に、最下端の石材の連結孔の下端で下方に突出した前記連結棒の下端のネジ軸部にナットを螺合し締め付けることより、石材の全体を前記連結棒により連結一体化することを特徴とするものである。
【発明の効果】
【００２６】
本発明は以下の如き優れた効果を奏する。
(1) 本発明に係る耐震装置は、全体を連結棒で一体化してなる墓石や灯籠等の石積構造物を、固定部材を用いて基礎に固定する構成を採用するため、墓石や灯籠等の石積構造物が地震時の振動によっても転倒するのを確実に防止できる。
【００２７】
(2) 又、特開平１０−３７５３２号公報が開示する前記耐震装置におけるように、最上端の石材に上下方向の貫通孔を設けるものではなく、連結棒の上端を最上端の石材の下面部に固定する構成を採用するため、連結棒の上端に螺合するナットが墓石の上面に現れることがない。従って、該ナット部分を覆い隠すようにキャップを被せる必要がないことから、石積構造物の美観を損なうことがなく、又該ナット部分に雨水が侵入して苔が生えたり、この部分で発生した汚れた水が墓石を汚す恐れもない。
【００２８】
(3) 又本発明によるときは、連結棒の下端に設けた雄ネジ部に螺合するナットを取り外すことによって石積構造物を容易に分解できるため、例えば竿石に法名を新たに刻設する際等において、竿石を容易に分離できることになる。
又このように石積構造物の分解が容易であることから、連結棒等が腐食した際において、その修理を容易に行うことができる。
【００２９】
(4) 又本発明に係る耐震装置によるときは、最下端の石材と基礎とを分離することによって、石積構造物を、一体のものとして基礎から分離できるため、大きな地震力等によって基礎部分が傾いた場合、基礎部分の補修作業を容易に行うことができる。
【００３０】
(5) 石材相互の当接面に、前記連結孔を挟んだ対向側に、２個の位置決め孔を設け、該位置決め孔に位置決め軸の上側部分又は下側部分を嵌め入れる構成を採用したときは、専門家でなくても、石材相互を、精度良く然も容易に位置決めできる。又、位置決めピンの回り止め作用により、地震時の振動によって石材が水平面内で回転するのを確実に防止でき、耐震性を向上させ得る。
【００３１】
(6) 前記石積構造物が墓石であるとき、前記墓石を正面から見た状態において、前記固定部材を、前記芝台の左右側面の前後で外方に突出せしめ、該突出した外側部分を前記基礎にボルト固定する構成を採用した場合は、墓石の後側の敷地スペースに余裕がないために該外側部分を基礎後側に固定できない場合であっても、敷地スペースに余裕のある左右側の基礎部分において、該墓石を固定部材を介して確実且つ安定的に固定できる利点がある。
【００３２】
(7) 前記固定部材を、水平片に垂直片が下設されたものとし、該固定部材の内側部分の水平片を、最下端の石材の下面に当接した状態で該下面にボルト固定させると共に、該固定部材の突出した外側部分を、前記基礎に設けられた嵌入溝に嵌め入れる如くなし、該嵌入溝にモルタルを充填するときは、墓石の重量が、前記固定部材の垂直片によってだけでなく、充填したモルタルの硬化物によっても安定的に支持されることになるため、基礎に対する石積構造物の固定をより安定化させ得る。
【００３３】
(8) 前記従来の石積構造物の耐震装置は、石材を施工現場において順次積重する構成であったため、現場施工に多くの時間を要して工期が長引く問題があった他、狭いスペースで石材を順次積重しなければならないといった窮屈な作業を強いられる問題があった。
これに対して本発明に係る耐震装置によるときは、石積構造物を工場で連結一体化できることから、組立作業を支障なく行うことできると共に、該連結一体化された石積構造物を現場に搬入してこれを基礎に設置し、且つ、固定部材を基礎に固定することによって、組み立て施工を短時間で能率的に行うことができる。
【００３４】
(9) 又本発明に係る石積構造物における石材連結工法によるときは、連結棒の上端を最上端の石材の雌ネジ部にねじ込む際に、該最上端の石材を高く吊り上げる必要がなく必要最小限度の高さに吊り上げればよいため、石材全体を連結一体化する作業を安全に然も施工性よく行うことができる。
【実施例１】
【００３５】
以下、本発明の実施例を図面に基づいて説明する。
図１〜２において、本発明に係る耐震装置１は墓石２に応用されており、最下端の芝台３としての石材５と、最上端の竿石６としての石材５を含む複数個の石材５を積重して全体を連結棒７で連結一体化してなる墓石２としての石積構造物８を、固定部材１０を用いて基礎１１にボルト固定するものである。
【００３６】
前記墓石２は、より具体的には図２〜４に示す構成を有しており、前記芝台３上に中台１２としての石材５を積重し、その上に上台１３としての石材５を積重すると共に、その上に寸輪１５としての石材５を積重し、更にその上に、上下に長い前記竿石６を積重した構成を有している。
【００３７】
そして前記芝台３と中台１２と上台１３と寸輪１５の夫々には、図１、図３〜４に示すように、その中央に、上下方向に貫通する連結孔１７，１７，１７，１７が設けられている。該連結孔１７の直径は、例えば１８ｍｍ程度に設定される。又前記竿石６の下面部中央には、図１、図４に示すように、雌ネジ部１９が埋設されている。
【００３８】
又、図１、図３〜４に示すように、前記芝台３の上の面２０と、前記中台１２の上下の面２１，２２と、前記上台１３の上下の面２３，２５と、前記寸輪１５の上下の面２６，２７の夫々に、前記連結孔（石材の中央）１７を挟んだ対向側に、例えば左右に位置させて、且つ、前記連結孔１７から同距離で、２個の有底の円形状位置決め孔２９，２９が同径、同深さで設けられている。又前記竿石６の下の面３０にも、図１、図４に示すように、前記雌ネジ部（下の面３０の中央）１９を挟んだ対向状態で左右に位置させて、且つ前記雌ネジ部１９から同距離で、２個の有底の円形状位置決め孔２９，２９が同径、同深さに設けられている。該位置決め孔２９の直径は、例えば１６ｍｍ程度に設定される。そして図５に示すように、上下の位置決め孔２９，２９を連通させて下の石材５ａ上に上の石材５ｂを積重した状態で、前記連結孔１７，１７相互が上下連通し且つ前記竿石６の雌ネジ部１９と前記寸輪１５の貫通孔１７とが連通する如くなされている。
【００３９】
そして下の石材５ａ上に上の石材５ｂを積重する際、下の石材５ａの上の面に設けられている２個の位置決め孔２９，２９に、図１、図５、図６〜７、図８に示すように、上下端３２，３３（図８）が面取りされた円柱状位置決め軸３５の下側部分３６を挿入させる。これにより、該位置決め軸３５，３５の上側部分３７，３７が、前記上の面２０，２１，２３，２６で突出状態となる。該突出状態の上側部分３７，３７は、上の石材５ｂを吊り下ろすことにより、上の石材５ｂの前記下の面に設けられた位置決め孔２９，２９に挿入される。
【００４０】
又、図８〜９に示すように、前記芝台３の前側部分の中央には、納骨のための円形開口４０が設けられると共に、該芝台３の下の面４１の左右部分（対向部分）４２，４３の前後（両側）４箇所において、雌ネジ４５，４５，４５，４５が埋設されている。そして、前記中台１２の前面側の中央部には、下端開放の出し入れ口４６が、前記円形開口４０に連なるように設けられている。
【００４１】
又前記基礎１１は、図３に示すように、現場打ち施工で、前後に長い長方形板状に形成されており、その中央部分には納骨用の矩形状凹所４７が設けられると共に、上の面４９の左右部分には、前後に所要間隔を置いて、断面矩形状の嵌入溝５０が左右に稍長く凹設されている。該嵌入溝５０の溝幅と深さは、例えば、共に５０ｍｍに設定されている。なお、前記矩形状凹所４７の底部に適当に土を盛ることによって、納骨用空間部５２（図１）の底部高さを調整する。
【００４２】
又前記固定部材１０は、図１０〜１１に示すように、前記嵌入溝５０の溝幅に略等しい前後幅を有する水平片５３の一側において、下端５５が前記嵌入溝５０の底面５６に図１５に示すように当接し得る垂直片５７が下設された断面Ｌ字形を呈しており、その肉厚は例えば１０ｍｍ程度で、その幅は例えば５０ｍｍ程度に設定されている。又、該水平片５３の両端側にはボルト孔５８，５９が穿設されている。そして該固定部材１０は、図１１に示すように、左右方向に延長する如くその長さ方向が合わせられると共に、前記水平片５３の内側部分６０が、前記ボルト孔５８を前記雌ネジ４５と位置合わせして前記芝台３の下の面４１に当接せしめられる。この状態で、ボルト６１が座金４４を介して該ボルト孔５８に挿通され、前記雌ネジ部４５に螺合され締め付けられることにより、該固定部材１０が前記芝台３に固定される。
【００４３】
そして前記嵌入溝５０の底面５６には、図３、図１０に示すように、前記芝台３の側面６２から例えば８０ｍｍ程度突出状態にある水平片部分６３に設けられた前記ボルト孔５９に挿通せしめられるアンカーボルト６５が立設されている。
【００４４】
又前記連結棒７は、上下に長い例えばステンレス製のものであり、図１、図５、図７に示すように、上下端に雄ネジ部６６，６７が設けられており、上のネジ軸部６６は竿石６の前記雌ネジ部１９に螺合せしめられる。又下のネジ軸部６７は、前記芝台３の下の面４１において、前記矩形状凹所４７内で下方に突出せしめられ、ナット６９が螺合される。
【００４５】
然して、かかる耐震装置１を用いて基礎１１上に墓石２を立設状態に設ける施工要領は次の通りである。まず、例えば図６、図１２に示すように、間隔を置いて前後左右に配置した支持台７０，７０，７０，７０上に前記芝台３のコーナ部分７１，７１，７１，７１を載置して後、図６、図８に示すように、該芝台３の上の面２０に設けられた左右の位置決め孔２９，２９の夫々に、前記位置決め軸３５の下側部分３６，３６を挿入する。この状態で、該位置決め軸３５，３５の上側部分３７，３７が、前記上の面２０の左右で突出状態となる。その後、前記中台１２を、その下の面２２に設けられている左右の位置決め孔２９，２９に前記位置決め軸３５，３５の上側部分３７，３７が挿入されるように位置決めをして、吊り下ろす。これにより、芝台３に設けられた連結孔１７と中台１２に設けられた連結孔１７とが、図６に示すように連通状態となる。なお、後日における墓石２の分解を考慮して、上の石材５ａの位置決め孔２９に対する前記上側部分３７の挿入状態は、容易に抜けるように設定する。
【００４６】
その後、図６に示すように、中台１２の上の面２１の左右に設けられた前記位置決め孔２９，２９の夫々に前記位置決め軸３５，３５の下側部分３６，３６を挿入する。この状態で、該位置決め軸３５，３５の上側部分３７，３７が、前記上の面２１の左右で突出状態となる。その後、前記上台１３を、その下の面２５に設けられている左右の位置決め孔２９，２９に前記位置決め軸３５，３５の上側部分３７，３７が挿入されるように位置決めをして、吊り下ろす。これにより、中台１２に設けられた連結孔１７と上台１３に設けられた連結孔１７とが図５に示すように連通状態となる。
【００４７】
その後、図７に示すように、上台１３の上の面２３の左右に設けられた前記位置決め孔２９，２９の夫々に前記位置決め軸３５，３５の下側部分３６，３６を挿入する。この状態で、該位置決め軸３５，３５の上側部分３７，３７が、前記上の面２３の左右で突出状態となる。その後、前記寸輪１５を、その下の面２７に設けられている左右の位置決め孔２９，２９に、前記位置決め軸３５，３５の上側部分３７，３７が挿入されるように位置決めをして、吊り下ろす。これにより、上台１３に設けられた連結孔１７と寸輪１５に設けられた連結孔１７とが連通状態となる。
【００４８】
この一連の組立工程を経ることにより、各石材に設けられた前記連結孔１７，１７，１７，１７が上下連通状態となる。この連通した連結孔に、図５に示すように、前記連結棒７を上から下に向けて挿入させ、該連結棒７の上端のネジ軸部６６に支持ナット７５を螺合する。これにより連結棒７は、該支持ナット７５が前記寸輪１５に設けられた連結孔１７の上端周縁で支持されて落下が防止される。
【００４９】
その後、該連結棒７の上端のネジ軸部６６を前記竿石６の下の面に埋設された前記雌ネジ部１９に螺合するのであるが、その際は、図７に示すように、連通した連結孔の直上に前記雌ネジ部１９が存するように竿石６を吊下状態とし、前記支持ナット７５を取り外すと共に前記連結棒７の上端側７４を持ち上げ、ネジ軸部６６を前記雌ネジ部１９に螺合させる。その後該竿石６を、吊り下ろして前記寸輪１５の上の面２６に載せるのであるが、その際、該上の面２６の左右に設けられている位置決め孔２９，２９の夫々に、位置決め軸３５，３５の下側部分３６，３６を挿入しておく。この状態で、該位置決め軸３５，３５の上側部分３７，３７が、前記上の面２６の左右で突出状態となる。その後、前記竿石６を、その下の面３０の左右に設けられた位置決め孔２９，２９に前記位置決め軸３５，３５の上側部分３７，３７が挿入されるように位置決めをして、吊り下ろす。前記竿石６が寸輪１５の上の面２６に載置された状態で、前記連結棒７の下端のネジ軸部６７が、図５に示すように、前記芝台３の下の面４１で突出する。
【００５０】
その後、図１３に示すように、前記芝台３の下の面４１（連結孔の下端）で下方に突出した前記連結棒７の下端のネジ軸部６７に座金７７を介してナット７９を螺合し締め付けると、５つの石材５，５，５，５，５が連結棒７により連結一体化されてなる墓石２が構成されることになる。
【００５１】
然る後、この墓石２の全体をクレーンで吊り上げて前記基礎１１上に載せるのであるが、その際、前記芝台３の下面に固定されている４本の固定部材１０，１０，１０，１０の突出部分８０，８０，８０，８０を、図１４に示すように、前記基礎１１に設けられている嵌入溝５０，５０，５０，５０に嵌め入れる。この嵌め入れ状態で、該突出部分８０の外端８０ａが嵌入溝５０の外端５０ａに略合致する。その際、前記アンカーボルト６５が、固定部材１０の突出部分８０に設けられた前記ボルト孔５９に挿通するように墓石２の位置決めを行う。その後、図２、図１５に示すように、固定部材１０の前記水平片５３の上方に突出したアンカーボルトのネジ軸８１に座金８２を介してナット８３を螺合し締め付けることにより、該墓石２を基礎１１に固定できる。なお、固定部材１０の水平片５３の内側部分６０を芝台３に固定するボルト６１の頭部８５は、図１６に示すように、前記嵌入溝５０内に納まる。又図１に示すように、前記連結棒７の下端部分８６は、基礎１１に設けられた前記矩形状凹所４７に納まる。その後、図１５、図２に示すように、前記嵌入溝５０にモルタル８７を充填すると、墓石２の重量が、前記固定部材１０の垂直片５７によってだけでなく、該充填したモルタルの硬化物８９によっても安定的に支持されることになり、基礎１１に対する墓石２の固定を安定化させることができる。なお図１５に示すように、前記水平片５３の上面９０を基礎１１の上面９１と略面一状態にするのがよい。
【００５２】
そして仕上げ工程で、前記アンカーボルト６５による固定部分を覆い隠すために、例えば図１〜２に示すように、前記基礎１１の上面９１から１５ｍｍ程度の厚さで玉砂利９２を敷き詰める。なお該固定部分は、芝生で覆い隠すこともある。又図２に示すように、前記納骨用の出し入れ口４６を前側で覆うように香炉９３を載置すると共にその両側に花立て９５，９５を載置する。なお納骨は、該香炉９３や花立て９５を除去して、前記出し入れ口４６を通して行う。
【００５３】
前記のように基礎１１上に固定された墓石２において、前記竿石６に戒名を刻設するに際して、該竿石６を取り外す必要が生じた場合は、前記アンカーボルト６５に螺合されているナット８３を取り外して後、一体化状態にある前記墓石２をクレーンで吊り上げて、図１３に示すと同様に支持台７０に載せる。その後、前記連結棒７の下端に螺合されているナット７９を取り外して前記竿石６を図７に示すと同様に若干持ち上げる。この状態で、竿石６と寸輪１５との間に形成された隙間９６にパイプレンチ等の工具を挿入し、前記連結棒７を逆回転させて該連結棒７を竿石６から取り外す。連結棒７を竿石６から分離させて後、図５に示すと同様にして、該連結棒６の上端のネジ軸部６６に支持ナット７５を螺合し、該連結棒６の落下を防止する。
【実施例２】
【００５４】
図１７〜１９は、本発明に係る耐震装置１が灯籠９６としての石積構造物８に応用された場合を示すものであり、上側に向かって幅狭となる３個の石材５，５，５を積み上げて構成した下部材９７と、該下部材９７上に載置された中部材９９としての石材５と、該中部材９９上に載置される上部材１００としての石材（最上端の石材）５を具えており、該上部材１００は、基台１０１と、その上に設けられた火袋１０２と、その上に被る傘１０３とを一体化して構成されている。
【００５５】
そして、前記した下部材９７を構成する下の石材５Ａと中間の石材５Ｂと上の石材５Ｃ、及び前記中部材９９には、平面視で中央に位置させて、連結孔１７，１７，１７が上下連通状態に設けられている。又、前記下の石材５Ａの下の面１０５には、図２０に示すように、前記と同様にして、Ｌ字型を呈する固定部材１０の内側部分１０６をボルト６１で固定する。又、前記上部材１００を構成する前記基台１０１の下の面１０７の中央には、図１７に示すように、前記連通する連結孔と同心に雌ネジ部１９が埋設されている。又、前記下の石材５Ａの上の面１０８と、前記中間の石材５Ｂの下の面１０９及び上の面１１０と、前記上の石材５Ｃの下の面１１１及び上の面１１２と、前記中部材９９の下の面１１３及び上の面１１５には、図１８、図２１に示すように、前記連結孔１７，１７，１７，１７の左右に位置させて、前記と同様構成の位置決め孔２９，２９が設けられている。又、前記上部材１００の前記基台１０１の下の面１０７の左右にも、同様に位置決め孔２９，２９が設けられている。そして、前記各位置決め孔２９，２９は、全て、有底であり、同径、同深さに形成されている。又、上下の石材の当接面に設けられている、左右に位置する上下の位置決め孔２９，２９、２９，２９は、夫々、上下連通し得る。
【００５６】
そして上下連通状態にある連結孔には、図１７、図２１に示すように、前記と同様構成の連結棒７が挿通せしめられ、その上端のネジ軸部６６が前記雌ネジ部１９に螺合されると共に、前記下部材９７の最下端の石材５Ａの下の面１０５で突出（連結孔１７の下端で突出）した、連結棒下端のネジ軸部６７に、座金１１６を介してナット１１７が螺合され締め付けられることにより、下部材９７と中部材９９と上部材１００とが連結一体化されて灯籠９６としての石積構造物８が構成されることになる。
【００５７】
かかる灯籠９６を組み立てる要領は前記と同様であり、図２１に示すように、下の石材の上の面に設けられている左右の位置決め孔２９，２９に位置決め軸３５，３５の下側部分３６，３６を挿入し、上の石材を、下の石材の上の面に突出状態にある左右の位置決め軸３５，３５の上側部分３７，３７を上の石材の下の面の左右に設けられている位置決め孔２９，２９に挿入させるように位置決めをして、下の石材上に載せる。このような位置決め軸３５による石材の位置決め作用によって、各石材を正しく位置決めして順次積重できる。その結果、各連結孔１７，１７，１７，１７を上下連通状態となし得るのである。その後、この連通状態の連結孔に前記と同様にして上側から連結棒７を挿通せしめ、前記と同様にして、該連結棒の上端のネジ軸部６６を前記上部材１００の下の面に設けられた前記雌ネジ部１９に螺合する。
【００５８】
その後、前記と同様にして、連結一体化された灯籠９６を基礎１１上に載せるのであるが、その際、図２２に示すように、下部材９７の最下端に位置する石材５Ａの側面から突出した固定部材１０の突出部分１２１が、該基礎１１の上面に設けた嵌入溝５０に嵌め入るように、且つ該突出部分１２１の水平片５３に設けられたボルト孔５９に、基礎１１に設けられたアンカーボルト６５のネジ軸８１が挿通するように位置決めをして、該灯籠９６を吊り下ろす。吊り下ろした状態で、図１７に示すように、前記連結棒７の下端部分８６は、前記基礎１１の中央に設けられた凹部１２２に納まる。その後、アンカーボルト６５の前記ネジ軸８１に螺合するナット８３を締め付けることにより、灯籠９６を、固定部材１０を介して基礎１１に固定できる。そして仕上げ工程で、前記アンカーボルト６５による固定部分を覆い隠すために、図１７、図１９に示すように、基礎１１の上面９１から１５ｍｍ程度の厚さで玉砂利９２を敷き詰める。
【００５９】
本実施の形態においては、最下端の石材が正方形板状に形成されているが、灯籠の形態に応じて、長方形板状や円形板状等に形成されることもある。
【実施例３】
【００６０】
本発明は、前記実施の形態で示したものに限定されるものでは決してなく、「実用新案登録請求の範囲」の記載内で種々の設計変更が可能であることはいうまでもない。その一例を挙げれば次のようである。
【００６１】
(1) 図２３〜２５は、連結棒７の上端を最上端の石材５の下面部（例えば、墓石にあっては前記竿石の下面部が該当し、灯籠にあっては前記上部材の下面部が該当する）１２３に固定する他の態様を示すものであり、連結棒７の上端に、該上端の両側に突出する水平固定片１２５を固着すると共に、該水平固定片１２５の両端側にボルト孔１２６，１２６を設けている。又前記下面部１２３の中央部には、該水平固定片１２５を嵌め入れる凹部１２７が設けられると共に、該凹部１２７の底面１２９には、前記ボルト孔１２６，１２６と位置合わせして雌ネジ１３０，１３０が埋設されている。
【００６２】
然して、前記連結棒７の上端を前記下面部１２３に固定するには、図２４〜２５に示すように、前記水平固定片１２５を前記凹部１２７に嵌め入れると共に、両ボルト孔１２６，１２６を挿通するボルト１３１を前記雌ネジ１３０，１３０に螺合し締め付けることによって行う。なお前記凹部１２７の深さは、ボルト１３１の下端１３２が前記石材の下面１２４から下方に突出しないように設定される。
【００６３】
(2) 図２６は前記連結棒７の下端のネジ軸部（最下端の石材の連結孔の下端で下方に突出したネジ軸部）６７にナット７９を螺合し締め付けた他の態様を示すものであり、最下端の石材５の下面中央部に設けられた凹嵌部１３３にナット７９が納まるようになされ、連結棒７の下端１３５が前記石材５の下の面１３６から下方に突出しないようになされている。
【００６４】
(3) 図２７〜２８、図２９〜３１、図３２〜３３、図３４〜３５、図３６は、墓石や灯籠等としての石積構造物８を構成する最下端の石材５を、固定部材１０を用いて、アンカーボルト６５とナット８３とによって基礎１１に固定するその他の態様を示すものであり、図２７〜２８に示す固定部材１０は、前記のような断面Ｌ字型ではなく、水平片５３の両側で垂直片５７，５７が下設されてなる断面コ字状に形成されている。又、図２９〜３１に示す固定部材１０は四角筒状に形成されており、その基端側の下片部１３７には、上片部１３９を最下端の石材５にボルト６１を用いて固定する関係上、該ボルト６１の回転操作を可能とする開口１４０が設けられている。
【００６５】
又、図３２〜３３に示す固定部材１０は平板状に形成されており、その内側部分１４１が、最下端の石材５の下の面１４２にボルト１４３で固定されると共に、その外側部分１４５が、基礎１１の上の面４９に当接せしめられると共に、基礎１１に立設されたアンカーボルト６５を用いて該基礎１１にボルト固定される。この場合、図３３に示すように、前記下の面１４２に、該内側部分１４１を嵌め入れる凹部１４７を設けると共に、該内側部分１４１の下面に、平板状の固定部材１０及びボルト１４３の頭部１４９を嵌め入れる窪み部１５０を設けるのがよい。
【００６６】
又図３４〜３５は、固定部材１０を断面Ｌ字形に形成すると共に、その水平片１５１を、その内側部分１５２で、最下端の石材５の下の面１５３にボルト１５５で固定した場合を示すものである。そして、該固定部材１０の外側部分１５６は、その垂直片１５７が、図３５に示すように、基礎１１に設けた嵌入溝１５４に嵌め入れられると共に、その水平片１５１が基礎１１の上の面４９に当接された状態で、基礎１１に立設したアンカーボルト６５を用いて該基礎１１にボルト固定されている。
【００６７】
又図３６は、固定部材１０をＬ字形に形成すると共に、その一片１６１を最下端の石材５の側面部１６２に当接させると共に該側面部１６２に埋設した雌ネジ１６３にボルト１６５を用いて固定する一方、他方の片１６６を基礎１１の上の面４９に当接させると共に、該基礎１１の上の面に埋設した雌ネジ１６７に螺合するボルト１６９を用いて該他方の片１６６を基礎１１に固定した状態を示すものである。
【００６８】
固定部材１０は、その他、Ｈ型鋼等を用いて構成することもできる。
【００６９】
(4) 最下端の石材５を固定部材１０を介して基礎１１に固定する際、該固定部材１０を平行して配置する場合は、図３７に示すように、一方向に連続した固定部材１０，１０を平行状態にして前記石材の下の面１７０に配設することによって、該固定部材の両端部分１７１，１７１を石材５の側面１７２から突出状態にすることもある。
【００７０】
又、例えば図３８や図３９に示すように、４本の固定部材１０，１０，１０，１０が、例えば前後左右に突出する放射状に配置されて、最下端の石材５の下の面１７０に固定されることもある。
【００７１】
(5) 図４０は、前記とは逆に、上の石材５ｂの下の面３９に設けた位置決め孔２９に位置決め軸３５の上側部分３７を挿入して固定状態とした場合を示すものであり、該石材５ｂの吊り下ろしに伴い、該位置決め軸３５の下方突出の下側部分３６を、下の石材５ａの左右の位置決め孔２９，２９に着脱可能に挿入させるようになされている。
【００７２】
(6) 前記位置決め軸は、円柱状をなすものには特定されない。
【００７３】
(7) 前記位置決め軸を用いないで、石材を単なる当接状態で積重することもある。
【００７４】
(8) 墓石や灯籠等の石積構造物の連結棒による連結一体化は、施工現場で行うこともあるが、工場で行った後に、一体化された石積構造物を施工現場に搬入してこれを基礎に固定することもある。
【図面の簡単な説明】
【００７５】
【図１】本発明に係る耐震装置を説明する断面図である。
【図２】本発明に係る耐震装置を用いて構成された墓石を示す断面図である。
【図３】本発明に係る耐震装置を説明する分解斜視図である。
【図４】本発明に係る耐震装置を説明する分解斜視図である。
【図５】本発明に係る耐震装置を用いて墓石を構成する中間作業状態を説明する断面図である。
【図６】本発明に係る耐震装置を用いて墓石を構成する中間作業状態を説明する断面図である。
【図７】本発明に係る耐震装置を用いて墓石を構成する中間作業状態を説明する断面図である。
【図８】芝台に位置決め軸を取り付ける作業工程を説明する斜視図である。
【図９】芝台を下側から見た斜視図である。
【図１０】芝台と基礎との固定手段を説明する分解斜視図である。
【図１１】芝台の下の面に固定部材を固定する作業工程を説明する斜視図である。
【図１２】支持台上に芝台を載置した状態を示す平面図である。
【図１３】墓石を組み立てた状態を示す断面図である。
【図１４】固定部材を用いて墓石を基礎に固定した状態を示す部分斜視図である。
【図１５】基礎に対する固定部材の固定状態を示す断面図である。
【図１６】固定部材を用いて芝台を基礎に固定した状態を示す断面図である。
【図１７】本発明に係る耐震装置を応用して構成された灯籠を、固定部材を用いて基礎に固定した状態で示す断面図である。
【図１８】灯籠の構成を説明する分解斜視図である。
【図１９】基礎に固定された灯籠を示す斜視図である。
【図２０】灯籠を構成する下の石材を、固定部材が固定された状態で示す斜視図である。
【図２１】組み立てられた灯籠の構成を説明する部分断面図である。
【図２２】灯籠の下の石材を固定部材を用いて基礎に固定した状態を示す斜視図である。
【図２３】竿石の下面部に対する連結軸の他の固定態様を示す分解斜視図である。
【図２４】竿石の下面部に連結棒の上端を固定した状態を示す斜視図である。
【図２５】竿石の下面部に連結棒の上端を固定した状態を示す断面図である。
【図２６】連結棒の下端の雄ネジ部にナットを螺合し締め付けた他の態様を示す断面図である。
【図２７】最下端の石材に対する固定部材の固定状態を示す部分斜視図である。
【図２８】その固定部材を基礎に固定した状態を示す断面図である。
【図２９】最下端の石材に対する固定部材の他の固定状態を示す部分斜視図である。
【図３０】固定部材を最下端の石材に固定した状態を示す断面図である。
【図３１】その固定部材を基礎に固定した状態を示す断面図である。
【図３２】最下端の石材に対する固定部材の他の固定状態を示す部分斜視図である。
【図３３】平板状の固定部材を用いて最下端の石材を基礎に固定した状態を示す断面図である。
【図３４】最下端の石材に対する固定部材の他の固定状態を示す部分斜視図である。
【図３５】その固定部材を基礎に固定した状態を示す断面図である。
【図３６】Ｌ字形の固定部材を用いて最下端の石材を基礎に固定した状態を示す断面図である。
【図３７】最下端の石材の下の面に固定部材を固定した他の態様を示す斜視図である。
【図３８】最下端の石材の下の面に固定部材を固定したその他の態様を示す平面図である。
【図３９】最下端の石材の下の面に固定部材を固定したその他の態様を示す平面図である。
【図４０】上の石材の下の面に位置決め軸を固定した状態を示す斜視図である。
【図４１】従来の墓石の耐震装置を説明する断面図である。
【図４２】その竿石の上側部分を拡大して示す断面図である。
【図４３】従来の墓石の耐震装置の他の態様を示す断面図である。
【符号の説明】
【００７６】
１  耐震装置
２  墓石
３  芝台
５  石材
６  竿石
７  連結棒
８  石積構造物
１０  固定部材
１７  連結孔
１９  雌ネジ部
２９  位置決め孔
３５  位置決め軸
３６  位置決め軸の下側部分
３７  位置決め軸の上側部分
５０  嵌入溝
５３  水平片
５７  垂直片
５８  ボルト孔
５９  ボルト孔
６５  アンカーボルト
６７  雄ネジ部
６８  雄ネジ部
６９  ナット
７５  支持ナット
７９  ナット
８３  ナット
【図１】
2005076191.tif 000003
【図２】
2005076191.tif 000004
【図３】
2005076191.tif 000005
【図４】
2005076191.tif 000006
【図５】
2005076191.tif 000007
【図６】
2005076191.tif 000008
【図７】
2005076191.tif 000009
【図８】
2005076191.tif 000010
【図９】
2005076191.tif 000011
【図１０】
2005076191.tif 000012
【図１１】
2005076191.tif 000013
【図１２】
2005076191.tif 000014
【図１３】
2005076191.tif 000015
【図１４】
2005076191.tif 000016
【図１５】
2005076191.tif 000017
【図１６】
2005076191.tif 000018
【図１７】
2005076191.tif 000019
【図１８】
2005076191.tif 000020
【図１９】
2005076191.tif 000021
【図２０】
2005076191.tif 000022
【図２１】
2005076191.tif 000023
【図２２】
2005076191.tif 000024
【図２３】
2005076191.tif 000025
【図２４】
2005076191.tif 000026
【図２５】
2005076191.tif 000027
【図２６】
2005076191.tif 000028
【図２７】
2005076191.tif 000029
【図２８】
2005076191.tif 000030
【図２９】
2005076191.tif 000031
【図３０】
2005076191.tif 000032
【図３１】
2005076191.tif 000033
【図３２】
2005076191.tif 000034
【図３３】
2005076191.tif 000035
【図３４】
2005076191.tif 000036
【図３５】
2005076191.tif 000037
【図３６】
2005076191.tif 000038
【図３７】
2005076191.tif 000039
【図３８】
2005076191.tif 000040
【図３９】
2005076191.tif 000041
【図４０】
2005076191.tif 000042
【図４１】
2005076191.tif 000043
【図４２】
2005076191.tif 000044
【図４３】
2005076191.tif 000045